(57)【要約】【課題】弾性を有する材質で形成されたフックにおいて、被掛止体によってレバー部に内方から不用意に強い力が加わっても、開閉部の開放を防ぐことができるフックを提供すること。【解決手段】略環状をなす環状部材２と、この環状部材２が挿嵌されるケース部材３と、から構成され、環状部材２には、その一部を切断することにより弾性揺動自在とされたレバー部８が一部に形成されるとともに、このレバー部８の弾性揺動により開閉する開閉部７を介して被掛止体６を内部に挿通可能になっており、ケース部材３は、環状部材２が挿嵌された状態において、レバー部８の外方への開放を当接により規制する。【選択図】図１
2009002389.tif 000002
【特許請求の範囲】
【請求項１】
略環状をなす環状部材と、該環状部材が挿嵌されるケース部材と、から構成され、
前記環状部材には、その一部を切断することにより弾性揺動自在とされたレバー部が一部に形成されるとともに、該レバー部の弾性揺動により開閉する開閉部を介して被掛止体を内部に挿通可能になっており、
前記ケース部材は、前記環状部材が挿嵌された状態において、前記レバー部の外方への開放を当接により規制することを特徴とするフック。
【請求項２】
前記ケース部材は、前記環状部材が挿嵌された状態において該環状部材の略半分を覆うとともに、該ケース部材には、前記レバー部の一部が露出されるレバー窓部が形成されていることを特徴とする請求項１に記載のフック。
【請求項３】
前記レバー部には、前記レバー窓部から突出する突出部が形成され、該突出部の縁部が前記レバー窓部の縁部に係止されることを特徴とする請求項２に記載のフック。
【請求項４】
前記環状部材における前記レバー部以外の部位に係止部を形成し、該係止部が前記ケース部材に形成された被係止部に係止されることを特徴とする請求項１ないし３のいずれかに記載のフック。
【請求項５】
前記係止部が前記環状部材に形成された凸部であるとともに、前記被係止部が前記ケース部材に形成された係止窓であることを特徴とする請求項４に記載のフック。
【請求項６】
前記係止部を前記被係止部に向かって摺動案内する摺動溝が前記ケース部材の内面に形成されていることを特徴とする請求項４または５に記載のフック。
【発明の詳細な説明】
【技術分野】
【０００１】
本発明は、固定物に張設されたロープやベルト等に掛止したり、物品を吊支したりする際に使用されるフックに関する。
【背景技術】
【０００２】
従来のフックは、正面視でほぼＣ字状をなすフック本体に、ロープやベルト等の被掛止体が通過可能な開放部を開閉する開閉杆を備え、フック本体と開閉杆とを合成樹脂により形成して、開閉杆の枢着部側の一端部に、フック本体の内面に圧接する円弧状の弾性舌片を一体形成し、開閉杆を常時開放部を閉じる方向に付勢することで、開閉杆の先端部をフック本体の掛止部の先端部に圧接している（例えば、特許文献１参照）。
【０００３】
【特許文献１】特開２００６−１５３１５９号公報（第３〜４頁、第５図）
【発明の開示】
【発明が解決しようとする課題】
【０００４】
しかしながら、特許文献１に記載のフックにあっては、弾性舌片を開閉杆と一体に設けることで、別部材としてのばね等の付勢手段を用いることなくフックを構成できるが、フック本体と開閉杆（レバー部）とは、弾性を有する合成樹脂で形成されているため、被掛止体によって開閉杆に内方から不用意に強い力が加わった際に、フック本体と開閉杆とが歪んで変形されることにより、開閉杆の先端部がフック本体の掛止部の先端部を越えて外方に移動してしまい、開放部（開閉部）が開放されてしまう虞がある。
【０００５】
本発明は、このような問題点に着目してなされたもので、弾性を有する材質で形成されたフックにおいて、被掛止体によってレバー部に内方から不用意に強い力が加わっても、開閉部の開放を防ぐことができるフックを提供することを目的とする。
【課題を解決するための手段】
【０００６】
前記課題を解決するために、本発明の請求項１に記載のフックは、
略環状をなす環状部材と、該環状部材が挿嵌されるケース部材と、から構成され、
前記環状部材には、その一部を切断することにより弾性揺動自在とされたレバー部が一部に形成されるとともに、該レバー部の弾性揺動により開閉する開閉部を介して被掛止体を内部に挿通可能になっており、
前記ケース部材は、前記環状部材が挿嵌された状態において、前記レバー部の外方への開放を当接により規制することを特徴としている。
この特徴によれば、レバー部が内方に押圧されることで開閉部が開放されて被掛止体を内部に挿通できるようになっており、かつレバー部は、その外方への揺動がケース部材によって規制されるので、被掛止体によってレバー部に内方から不用意に強い力が加わっても、開閉部の閉鎖を維持することができる。また、ケース部材に環状部材を挿嵌するだけで双方の部材を簡単に組み付けできる。
【０００７】
本発明の請求項２に記載のフックは、請求項１に記載のフックであって、
前記ケース部材は、前記環状部材が挿嵌された状態において該環状部材の略半分を覆うとともに、該ケース部材には、前記レバー部の一部が露出されるレバー窓部が形成されていることを特徴としている。
この特徴によれば、使用者が指でレバー窓部からレバー部を押圧して開閉部を開放することができ、かつレバー窓部内に指が配置されるため、開閉部を通過する被掛止体が指に当ってしまうことを防止できる。
【０００８】
本発明の請求項３に記載のフックは、請求項２に記載のフックであって、
前記レバー部には、前記レバー窓部から突出する突出部が形成され、該突出部の縁部が前記レバー窓部の縁部に係止されることを特徴としている。
この特徴によれば、環状部材がケース部材から抜ける方向に移動しても、突出部がレバー窓部に係止されて環状部材の離脱が防止できるばかりか、使用者が指でレバー窓部に配置されたレバー部を押圧し易くすることができる。
【０００９】
本発明の請求項４に記載のフックは、請求項１ないし３のいずれかに記載のフックであって、
前記環状部材における前記レバー部以外の部位に係止部を形成し、該係止部が前記ケース部材に形成された被係止部に係止されることを特徴としている。
この特徴によれば、環状部材がケース部材から抜ける方向に移動しても、係止部が被係止部に係止されて環状部材の離脱が防止でき、かつ該係止部がレバー部以外の部位に形成されているので、レバー部の揺動状態に影響されずに、常に環状部材の離脱が防止される。
【００１０】
本発明の請求項５に記載のフックは、請求項４に記載のフックであって、
前記係止部が前記環状部材に形成された凸部であるとともに、前記被係止部が前記ケース部材に形成された係止窓であることを特徴としている。
この特徴によれば、環状部材をケース部材に挿嵌してフックを組み立てる際に、凸部の係止状態を係止窓部から視認し易くすることができる。
【００１１】
本発明の請求項６に記載のフックは、請求項４または５に記載のフックであって、
前記係止部を前記被係止部に向かって摺動案内する摺動溝が前記ケース部材の内面に形成されていることを特徴としている。
この特徴によれば、環状部材をケース部材に挿嵌してフックを組み立てる際に、係止部がケース部材の内面の擦れることで生じる摩擦抵抗が発生にないようになり、環状部材をケース部材に挿嵌し易くすることができる。
【発明を実施するための最良の形態】
【００１２】
本発明に係るフックを実施するための最良の形態を実施例に基づいて以下に説明する。
【実施例】
【００１３】
本発明の実施例を図面に基づいて説明すると、先ず図１は、実施例におけるフックを示す正面図であり、図２は、フックを示す縦断正面図であり、図３は、レバー部が押圧された状態のフックを示す縦断正面図であり、図４は、図１におけるフックを示すＡ−Ａ縦断側面図であり、図５は、図１におけるフックを示すＢ−Ｂ横断平面図であり、図６（ａ）は、環状部材がケース部材に挿嵌される前の状態を示す一部縦断正面図であり、図６（ｂ）は、凸部が摺動溝に摺動案内される状態を示す一部縦断正面図であり、図６（ｃ）は、環状部材がケース部材に挿嵌された後の状態を示す一部縦断正面図である。以下、図４の紙面右方側をフックの正面側（前方側）とし、図５の紙面下方側をフックの正面側（前方側）として説明する。
【００１４】
図１の符号１は、本発明の適用されたフックであり、このフック１は、正面視で略環状をなす環状部材２と（図２参照）、この環状部材２の下方側の略半分の部位を覆う略筒状をなすケース部材３とで構成されている。この環状部材２の掛止部４及びケース部材３の下部に形成された孔部５には、ロープやベルト等の被掛止体６，６’を掛止できるようになっている。
【００１５】
環状部材２は、耐疲労性、耐摩擦摩耗性、弾性を有する合成樹脂等の材質、例えばポリアセタール（ＰＯＭ）等の材質により形成されている。また、ケース部材３は、耐衝撃性を有する硬質な合成樹脂等の材質、例えばポリカーボネート（ＰＣ）等の材質により形成されている。
【００１６】
図２に示すように、環状部材２は、その一部が切断されて被掛止体６が通過できる開閉部７が形成されるとともに、この開閉部７を開閉させるためのロッド状をなすレバー部８が形成されている。尚、環状部材２の上部には、略逆Ｊ字形状をなす掛止部４が形成されており、この掛止部４の先端部とレバー部８の先端部とが当接されて開閉部７を閉鎖することができる。更に尚、レバー部８は、環状部材２の一部に形成された薄肉部９を支点（軸）としてフック１の内方側に向って揺動できるようになっている（図３参照）。
【００１７】
レバー部８は、その上部近傍の部位（一部）がケース部材３によって外方から覆われており、レバー部８は、ケース部材３の内面に当接されている。また、ケース部材３には、レバー部８の一部を外方に露出させるためのレバー窓部１０が形成されている。レバー部８におけるレバー窓部１０に対応する部位には、レバー窓部１０から突出する突出部１１が形成されている。尚、レバー部８の突出部１１の上下縁部が、レバー窓部１０の上下縁部に係止されている。
【００１８】
図３に示すように、使用者は指でレバー窓部１０から露出された突出部１１を押圧することで、掛止部４の先端部とレバー部８の先端部が離間されて開閉部７を開放することができる。尚、掛止部４の先端部及びレバー部８の先端部には、それぞれ段部４ａ，８ａが形成されており、該段部４ａ，８ａ同士が互いに係合されることで、レバー部８が掛止部４を越えて外方側に移動しないようになっている。
【００１９】
図４に示すように、掛止部４の先端部には、方形板状のストッパ片４ｂが下向きに突設されている。また、レバー部８の先端部には、掛止部４のストッパ片４ｂにフック１の内方より嵌合可能な、上方に開口されたスリット状のストッパ溝８ｂが形成されている。ストッパ片４ｂとストッパ溝８ｂとの嵌合によって、レバー部８が前後方向に揺動されないように規制している。
【００２０】
図１に示すように、環状部材２の左側、すなわち環状部材２におけるレバー部８以外の部位には、本実施例における係止部としての凸部１２が形成されている。また、ケース部材３には、環状部材２の凸部１２が嵌合される本実施例における被係止部としての係止窓部１３が形成されている。尚、本実施例のケース部材３は、少なくとも環状部材２におけるレバー部８及びレバー部８以外の部位、すなわちレバー部８及び凸部１２に跨って環状部材２を被覆してあればよい。
【００２１】
図５に示すように、フック１の形状は前後対称になるように形成されており、凸部１２及び係止窓部１３は、フック１の正面側及び背面側のそれぞれに形成されている。凸部１２は環状部材２から前後方向に突出されて正面視で略矩形状をなすとともに、係止窓部１３はケース部材３の内部から外方に向って貫通されて正面視で略矩形状をなしている。
【００２２】
図１及び図２に示すように、ケース部材３の内面における係止窓部１３の近傍には、後述する環状部材２をケース部材３に挿嵌してフック１を組み立てる際に、環状部材２の凸部１２を、ケース部材３の開口部１４から係止窓部１３に向かって摺動案内する摺動溝１５が形成されている。
【００２３】
フック１の組み立てる際には、環状部材２をケース部材３に挿嵌するようになっている。図６（ａ）に示すように、先ず環状部材２のレバー部８を、薄肉部９を支点（軸）として内方側に向って揺動させた状態で、ケース部材３の開口部１４から環状部材２の薄肉部９及びレバー部８の一部を挿入する。
【００２４】
図６（ｂ）に示すように、環状部材２の凸部１２を摺動溝１５に摺動させながら、環状部材２をケース部材３内部に挿入する。そして、環状部材２の薄肉部９がケース部材３の奥面１６に当接されると、レバー部８の揺動状態を復元させることで、レバー部８の突出部１１がレバー窓部１０に嵌合されるとともに、凸部１２が係止窓部１３に嵌合される。
【００２５】
図６（ｃ）に示すように、環状部材２の掛止部４及びレバー部８に形成された係合部４ｃ，８ｃが、ケース部材３の開口部１４の端縁に当接されるとともに、環状部材２の薄肉部９がケース部材３の奥面１６に当接されることで、環状部材２は上下方向に移動不能にケース部材３に挿嵌される。
【００２６】
以上、本実施例におけるフック１では、略環状をなす環状部材２と、この環状部材２が挿嵌されるケース部材３と、から構成され、環状部材２には、その一部を切断することにより弾性揺動自在とされたレバー部８が一部に形成されるとともに、このレバー部８の弾性揺動により開閉する開閉部７を介して被掛止体６を内部に挿通可能になっており、ケース部材３は、環状部材２が挿嵌された状態において、レバー部８の外方への開放を当接により規制する。
【００２７】
このようにすることで、レバー部８が内方に押圧されることで開閉部７が開放されて被掛止体６を内部に挿通できるようになっており、かつレバー部８は、その外方への揺動がケース部材３によって規制されるので、被掛止体６によってレバー部８に内方から不用意に強い力が加わっても、開閉部７の閉鎖を維持することができる。
【００２８】
また、ケース部材３に環状部材２を挿嵌するだけで双方の部材２，３を簡単に組み付けできる。更に、環状部材２におけるレバー部８が外方への開放を規制する構造を、略筒状部材として形成されたケース部材３に環状部材２を挿嵌だけで達成でき、環状部材２とケース部材３という簡素な構成でフック１を製造することができる。
【００２９】
尚、ケース部材３によってレバー部８の一部が外方から覆われていることで、フック１の外方からレバー部８に外力が加わらないようになっており、使用者による突出部１１の押圧操作以外での開閉部７の開放が防止される。
【００３０】
尚、前述したように、掛止部４とレバー部８とは、それぞれに形成された段部４ａ，８ａ同士が互いに係合されることで、レバー部８が掛止部４を越えて外方側に移動せず、開閉部７の開放を防げるようにもなっている。故に本実施例で言う不用意な強い力とは、被掛止体６やその他の外力によってレバー部８が歪んで変形されることにより、レバー部８が掛止部４を越えて外方に移動される程度の力のことを言う。
【００３１】
また、ケース部材３は、環状部材２が挿嵌された状態においてこの環状部材２の略半分を覆うとともに、このケース部材３には、レバー部８の一部が露出されるレバー窓部１０が形成されている。使用者が指でレバー窓部１０からレバー部８を押圧して開閉部７を開放することができ、かつレバー窓部１０内に指が配置されるため、開閉部７を通過する被掛止体６が指に当ってしまうことを防止でき、被掛止体６をフック１の掛止部４内にスムーズに挿入、或いは離脱させることができる。尚、環状部材２は、略楕円形状をなしており、ケース部材３は、少なくとも環状部材２における掛止部４及び開閉部７を残して被覆していればよい。
【００３２】
また、レバー部８には、レバー窓部１０から突出する突出部１１が形成され、この突出部１１の縁部がレバー窓部１０の縁部に係止されている。このようにすることで、環状部材２がケース部材３から抜ける方向に移動しても、突出部１１がレバー窓部１０に係止されて環状部材２の離脱が防止できる。更に、突出部１１の外表面が、ケース部材３の外表面とほぼ同じ部位になるように突出されるため、使用者が指でレバー窓部１０に配置されたレバー部８を押圧し易くすることができる。
【００３３】
また、環状部材２におけるレバー部８以外の部位に係止部としての凸部１２を形成し、この凸部１２がケース部材３に形成された被係止部としての係止窓部１３に係止されている。このようにすることで、環状部材２がケース部材３から抜ける方向に移動しても、凸部１２が係止窓部１３に係止されて環状部材２の離脱が防止できる。尚かつ凸部１２がレバー部８以外の部位に形成されているので、レバー部８の揺動状態に影響されずに、常に環状部材２の離脱が防止される。更に、環状部材２をケース部材３に挿嵌してフック１を組み立てる際に、凸部１２が係止窓部１３に係止されたか否かの係止状態を、係止窓部１３から視認し易くすることができ、フック１の製造工程における作業ミスを低減させることができる。
【００３４】
また、凸部１２を係止窓部１３に向かって摺動案内する摺動溝１５がケース部材３の内面に形成されている。このようにすることで、環状部材２をケース部材３に挿嵌してフック１を組み立てる際に、凸部１２がケース部材３の内面の擦れることで生じる摩擦抵抗が発生にないようになり、環状部材２をケース部材３に挿嵌し易くすることができる。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
例えば、前記実施例では、環状部材２及びケース部材３が合成樹脂等の材質により形成されているが、環状部材２及びケース部材３は金属等の材質であってもよく、少なくとも環状部材２を形成する材質が、レバー部８を揺動できる程度の弾性を有していればよい。
【図面の簡単な説明】
【００３７】
【図１】実施例におけるフックを示す正面図である。
【図２】フックを示す縦断正面図である。
【図３】レバー部が押圧された状態のフックを示す縦断正面図である。
【図４】図１におけるフックを示すＡ−Ａ縦断側面図である。
【図５】図１におけるフックを示すＢ−Ｂ横断平面図である。
【図６】（ａ）は、環状部材がケース部材に挿嵌される前の状態を示す一部縦断正面図であり、（ｂ）は、凸部が摺動溝に摺動案内される状態を示す一部縦断正面図であり、（ｃ）は、環状部材がケース部材に挿嵌された後の状態を示す一部縦断正面図である。
【符号の説明】
【００３８】
１                フック
２                環状部材
３                ケース部材
４                掛止部
４ａ              段部
４ｂ              ストッパ片
４ｃ              係合部
５                孔部
６，６’          被掛止体
７                開閉部
８                レバー部
８ａ              段部
８ｂ              ストッパ溝
８ｃ              係合部
９                薄肉部
１０              レバー窓部
１１              突出部
１２              凸部（係止部）
１３              係止窓部（被係止部）
１４              開口部
１５              摺動溝
１６              奥面
【図１】
2009002389.tif 000003
【図２】
2009002389.tif 000004
【図３】
2009002389.tif 000005
【図４】
2009002389.tif 000006
【図５】
2009002389.tif 000007
【図６】
2009002389.tif 000008